(57)【要約】【課題】補強布を発泡成形型に装着しやすく、かつ安定に保持して脱型性にも優れたものでありながら、低コストにシート用パッドを製造する。【解決手段】発泡樹脂成形体からなるパッド本体１２の裏面に補強布１４が一体化されたシート用パッド１０を製造するに際し、補強布１４に金属製のワイヤ１６を取り付け、該ワイヤを取り付けた補強布１４を、発泡成形型４０に設けられた永久磁石５６にワイヤ１６を磁気吸着させて、発泡成形型４０内に装着する。その後、発泡成形型４０を型閉めしてパッド本体１２を発泡成形することで、補強布１４をワイヤ１６とともにパッド本体１２の裏面に一体化させる。【選択図】    図１
2008194957.tif 000002
【特許請求の範囲】
【請求項１】
発泡樹脂成形体からなるパッド本体の裏面に補強布が一体化されたシート用パッドを製造する方法であって、
前記補強布に金属製のワイヤを取り付け、
前記ワイヤを取り付けた補強布を、発泡成形型に設けられた永久磁石に前記ワイヤを磁気吸着させて、前記発泡成形型内に装着し、
前記発泡成形型を型閉めしてパッド本体を発泡成形することで、前記補強布を前記ワイヤとともに前記パッド本体の裏面に一体化させる、
ことを特徴とするシート用パッドの製造方法。
【請求項２】
前記ワイヤを接着テープで前記補強布に取り付け固定する請求項１記載のシート用パッドの製造方法。
【請求項３】
前記補強布に舌状部を設け、前記舌状部を折り返して前記ワイヤの一部を包み込んだ状態で前記舌状部を補強布本体に樹脂製タグピンで固定して、前記ワイヤを前記補強布に取り付け固定する請求項１記載のシート用パッドの製造方法。
【請求項４】
前記ワイヤがパッド表面を覆う表皮側の係止具を係止するための表皮係止用ワイヤを兼ねている請求項１記載のシート用パッドの製造方法。
【請求項５】
前記ワイヤの１又は複数の被係止部を各別に露出させる１又は複数の係止具取り付け操作用穴を前記補強布に設け、前記補強布の前記ワイヤが固定された側の面を前記パッド本体に一体化させることを特徴とする請求項４記載のシート用パッドの製造方法。
【請求項６】
発泡樹脂成形体からなるパッド本体と、前記パッド本体の裏面に一体化された補強布と、を備えてなるシート用パッドにおいて、
前記補強布に金属製のワイヤが取り付けられ、前記補強布が前記ワイヤとともに前記パッド本体の発泡成形により当該パッド本体の裏面に一体化された、
ことを特徴とするシート用パッド。
【発明の詳細な説明】
【技術分野】
【０００１】
本発明は、車両用や家具用のシートに用いられるクッションパッドの製造方法に関するものである。
【背景技術】
【０００２】
従来、例えば自動車用シートのためのクッションパッドにおいては、シートフレームとの摩擦による破損や異音発生を抑制するために、パッドの裏面にフェルトや粗毛布などの補強布を裏打ち材として一体的に積層する場合が多い（例えば、下記特許文献１参照）。かかる補強布は、一般に、上型に設けた装着ピンを介して上型に装着され、下型に発泡原料を注入して発泡させることにより、発泡体であるパッド本体の裏面に積層一体化されている。
【０００３】
上記装着ピンを用いて補強布を発泡成形型に装着する場合、製品形状によっては装着作業時に作業者が目視で確認しにくい部位があり、その場合、手探りで装着する必要がある。そのため、装着時に位置ずれが生じたり、また装着後に外れや位置ずれが発生する場合がある。あるいはまた、発泡成形後に上型を開いたり、製品を脱型する際に、装着ピンに補強布が引っ掛かって破れるといった場合もある。
【０００４】
そこで、下記特許文献２では、発泡成形型に永久磁石を設け、補強布に磁性体部材を設けて、該磁性体部材を発泡成形型の永久磁石に磁気吸着させることにより、補強布を発泡成形型に装着するという技術が提案されている。この文献では、前記磁性体部材として、ステープラーの止め針などの小型の金属片や、金属粉末を塗布した接着シート片などが用いられているが、これらの磁性体部材で補強布を発泡成形型にしっかりと保持するためには、相当数の磁性体部材を使用する必要があり、コストが高くなるという問題がある。
【０００５】
一方、シート用パッドは、シートフレーム上でパッド表面に織編物や皮革などの表皮を被せて構成されるが、かかる表皮側の係止具を係止するためのワイヤがシート用パッドに埋設される場合がある（下記特許文献３〜５参照）。従来、このような表皮係止用ワイヤは、補強布とは別に発泡成形型に装着されているが、製品形状によっては作業者が目視で確認しにくい部位にワイヤを装着しなければならない場合があり、ワイヤが取り付けにくいという問題がある。また、その場合、発泡成形後の脱型時において、ワイヤが発泡成形型から外れにくかったり、補強布との間で干渉して補強布が破れるなどの不具合が生じることがある。
【特許文献１】特開２００５−３１９１２３号公報
【特許文献２】特開２００４−３５８９１６号公報
【特許文献３】特開２００５−０００４５３号公報
【特許文献４】特開２００５−０９５２６７号公報
【特許文献５】特開２００６−０２０７３５号公報
【発明の開示】
【発明が解決しようとする課題】
【０００６】
本発明は、以上の点に鑑みてなされたものであり、第１の課題は、補強布を発泡成形型に装着しやすく、かつ安定に保持して脱型性にも優れたものでありながら、コストを抑えてシート用パッドを製造することを可能にする点にある。
【０００７】
また、第２の課題は、表皮係止用ワイヤを用いて補強布を発泡成形型に保持させることにより、発泡成形型への部品の取付工数を減らすとともに、脱型時における表皮係止用ワイヤによる補強布の破損などの不具合を防止する点にある。
【課題を解決するための手段】
【０００８】
上記第１の課題を解決するためのシート用パッドの製造方法は、発泡樹脂成形体からなるパッド本体の裏面に補強布が一体化されたシート用パッドを製造する方法であって、前記補強布に金属製のワイヤを取り付け、前記ワイヤを取り付けた補強布を、発泡成形型に設けられた永久磁石に前記ワイヤを磁気吸着させて、前記発泡成形型内に装着し、前記発泡成形型を型閉めしてパッド本体を発泡成形することで、前記補強布を前記ワイヤとともに前記パッド本体の裏面に一体化させる、というものである。
【０００９】
また、本発明のシート用パッドは、発泡樹脂成形体からなるパッド本体と、前記パッド本体の裏面に一体化された補強布と、を備えてなるシート用パッドにおいて、前記補強布に金属製のワイヤが取り付けられ、前記補強布が前記ワイヤとともに前記パッド本体の発泡成形により当該パッド本体の裏面に一体化されたものである。
【００１０】
上記本発明によれば、補強布に取り付けた金属製のワイヤを、発泡成形型の永久磁石に磁気吸着させて、補強布を発泡成形型に装着するので、補強布を発泡成形型に装着しやすく、かつ安定に保持することができ、しかも脱型性にも優れる。また、金属製のワイヤは、それ自体安価であり、また、ステープラーの止め針や金属粉末シート片などを用いる場合に比べて、取付点数を大幅に削減することができるので、製造コストを低減することができる。
【００１１】
本発明においては、前記ワイヤがパッド表面を覆う表皮側の係止具を係止するための表皮係止用ワイヤを兼ねていることが好ましい。このように表皮係止用ワイヤを用いて補強布を発泡成形型に保持させることにより、表皮係止用ワイヤと補強布を別々に発泡成形型に装着する場合に比べて、発泡成形型への部品の取付工数を減らすことができる。また、表皮係止用ワイヤは補強布と一体化されており、発泡成形型の永久磁石に対する磁気吸着により発泡成形型に装着されるので、脱型時に表皮係止用ワイヤによって補強布が破損することがなくなり、脱型時の不具合を解消することができる。よって、上記第２の課題が解決される。
【００１２】
このように前記ワイヤが表皮係止用ワイヤを兼ねる場合において、前記ワイヤの１又は複数の被係止部を各別に露出させる１又は複数の係止具取り付け操作用穴を前記補強布に設け、前記補強布の前記ワイヤが固定された側の面を前記パッド本体に一体化させるようにすると、次の作用効果が奏される。
【００１３】
すなわち、この場合、前記ワイヤはパッド本体と補強布との間に挟まれた状態となるので、ワイヤがシート用パッド表面に完全に露出することがなくなり、成形後の取り扱い時におけるワイヤの脱落や、露出したワイヤ端部による周辺部材の損傷などの不具合を回避することができる。また、補強布の係止具取り付け操作用穴において露出したワイヤの被係止部により、表皮側の係止具を係止することができるとともに、係止後には、ワイヤは被係止部の両側が補強布の上記操作用穴周りで覆われていることにより、被係止部でのワイヤの浮き上がりが防止されて、高い係止効果を発揮することができる。
【００１４】
上記本発明において、前記ワイヤを接着テープで前記補強布に取り付け固定するようにすれば、ワイヤを容易かつ低コストに補強布に取り付けることができる。
【００１５】
また、上記本発明において、前記補強布に舌状部を設け、前記舌状部を折り返して前記ワイヤの一部を包み込んだ状態で前記舌状部を補強布本体に樹脂製タグピンで固定して、前記ワイヤを前記補強布に取り付け固定するようにすれば、ワイヤを容易かつ確実に補強布に取り付けることができる。
【発明の効果】
【００１６】
本発明によれば、補強布を発泡成形型に装着しやすく、かつ安定に保持して脱型性にも優れたものでありながら、低コストにシート用パッドを製造することができる。
【発明を実施するための最良の形態】
【００１７】
以下、本発明の実施形態について図面を参照して説明する。
【００１８】
図１は、本発明の第１の実施形態に係るシート用パッド１０の裏面側の斜視図、図２は、その断面図である。このシート用パッド１０は、自動車シートにおいて、乗員の臀部を支持するためのシートクッションに用いられるパッドである。シート用パッド１０は、軟質ポリウレタンフォームなどの弾力性を持つ発泡成形体からなるパッド本体１２と、該パッド本体１２の裏面（下面）の略全体にわたって一体成形された裏打ち材としての補強布１４とからなる。補強布１４としては、粗毛布、フェルト、不織布などが挙げられる。
【００１９】
シート用パッド１０の表面（上面）には、布地（編物、織物または不織布）、人工皮革、レザーなどの表皮９が被せられるようになっており、シート用パッド１０には、上記表皮９に設けられた係止具８を係止するための表皮係止用ワイヤ１６が設けられている。表皮係止用ワイヤ１６は、シート用パッド１０の前縁部における下方に突出した垂れ部１８の裏面側に設けられて、表皮９の前縁部９Ａを係止する金属製の線状部材であり、上記垂れ部１８の幅方向に延び、かつこの例では該幅方向の全体にわたって設けられている。
【００２０】
シート用パッド１０を製造するに際しては、まず、補強布１４を、シート用パッド１０の裏面に対応した所定形状に裁断し、裁断したシート用パッド１０に上記ワイヤ１６を取り付ける。
【００２１】
図３は、ワイヤ１６の取付部周辺を拡大した補強布１４の斜視図である。図示するように、ワイヤ１６は、補強布１４の前縁部１４Ａにおいて、その幅方向の全体にわたって設けられており、ワイヤ１６の長手方向の複数の箇所で紙テープなどの接着テープ２０により取り付け固定されている。また、補強布１４には、ワイヤ１６の複数の被係止部２２を各別に露出させる複数の係止具取り付け操作用穴２４が設けられている。ここで、被係止部２２は、表皮９側の係止具８により係止されるワイヤ部分である。
【００２２】
より詳細には、ワイヤ１６は、補強布１４の前縁部１４Ａに沿って直線状に延びており、その両端１６ＡがＵ字状に折り返されている。係止具取り付け操作用穴２４は、ワイヤ１６の長手方向における両端部と中央部の計３箇所において、各被係止部２２を露出させるように矩形状の開口として設けられている。また、接着テープ２０は、中央の係止具取り付け操作用穴２４の左右両側と、両端の係止具取り付け操作用穴２４よりも先端側のＵ字状に折り返されたワイヤ１６の両端１６Ａとの計４箇所にて、ワイヤ１６を覆うように貼り付けられている。
【００２３】
次いで、このワイヤ１６を取り付けた補強布１４を、図４に示すように、発泡成形型４０内に装着する。
【００２４】
発泡成形型４０は、上方に開口する下型４２と、下型４２の一辺側に配されたヒンジ部４４を介して回動可能に設けられて下型４２の上面開口を開閉する上型４６とを備えてなる。下型４２は、パッド１０の表面（上面）側を成形する型であり、それに対応した凹部４８を有する。上型４６は、パッド１０の裏面（下面）側を成形する型であり、上記凹部４８を閉じることにより、すり合わせ面（ＰＬ部）５０の内側において、下型４２との間にパッド形状に対応する発泡空間であるキャビティ５２を形成する（図５参照）。キャビティ５２は、上記垂れ部１８を持つパッド１０の前縁部をヒンジ部４４側で形成し、薄肉状の後縁部をヒンジ部４４と反対側で成形するように構成されており、そのため、ヒンジ部４４側の方が凹部４８の深さが大きく形成されている。
【００２５】
キャビティ５２に面する上型４６の下面には、補強布１４をキャビティ５２内に装着するための装着ピン５４が所定箇所に複数個設けられている。装着ピン５４は、上型４６の型内面からキャビティ５２内に垂直に突出した状態に設けられており、補強布１４の所定箇所に突き刺して貫通させることで、補強布１４をキャビティ５２内の上型４６表面に着脱可能に係止する。装着ピン５４は、作業者が目視で確認しやすい部位、すなわち、図４に示す型開きした状態において、垂れ部１８を成形する上型４６の下端壁４６Ａを除く領域に設けられている。
【００２６】
そして、垂れ部１８の裏面側を成形する上型４６の下端壁４６Ａには、上記ワイヤ１６を磁気吸着するための永久磁石５６が埋め込まれている。永久磁石５６は、１本のワイヤ１６を複数の永久磁石５６で保持するように、ワイヤ１６の長手方向における複数箇所に対応させて設けられている。この例では、永久磁石５６は、補強布１４の複数の係止具取り付け操作用穴２４に各別に対応するように、上型４６の幅方向における複数箇所に設けられている。
【００２７】
補強布１４を発泡成形型４０の上型４６に装着する際には、図４に示すように、補強布１４の下端部を除く部分では、装着ピン５４で係止させるとともに、作業者が目視で見えにくい補強布１４の下端部については、ワイヤ１６、特にその被係止部２２を永久磁石５６に磁気吸着させる。その際、補強布１４における上記ワイヤ１６が固定された側の面１４Ｂ（図３参照）をパッド本体１２に一体化させるように、当該面１４Ｂをキャビティ５２側に向け、また、該面１４Ｂと反対側の面１４Ｃ（図１参照）を上型４６の型表面に向けて、補強布１４をセットする。
【００２８】
このようにして補強布１４を上型４６に装着した後、不図示の注入装置から下型４２の凹部４８に発泡原料２６を注入し（図４参照）、発泡成形型４０を型閉めして、図５に示すように、キャビティ５２内でパッド本体１２を発泡成形させる。これにより、パッド本体１２の裏面に補強布１４がワイヤ１６とともに一体化される。その後、上型４６を開いて、脱型することにより、シート用パッド１０が得られる。
【００２９】
以上よりなる本実施形態であると、表皮係止用ワイヤ１６を補強布１４に予め取り付けて一体化し、該ワイヤ１６で補強布１４を発泡成形型４０の所定箇所に保持するようにしたので、作業者が目視で確認しにくい位置でありながら補強布１４を装着しやすく、また、部品点数を減らして取り付け工数を低減することができる。また、表皮係止用ワイヤ１６であると、１本でも永久磁石５６との間で高い吸着効果が得られるので、発泡成形型４０に安定に保持することができるとともに、ステープラーの止め針や金属粉末シート片などを用いる場合に比べて、コストを大幅に低減することができる。しかも、脱型時にも、磁力による吸着保持であるので脱型しやすく、また、表皮係止用ワイヤ１６によって補強布１４が破損する不具合を回避することができる。
【００３０】
また、本実施形態であると、表皮係止用ワイヤ１６がパッド本体１２と補強布１４との間に挟まれた状態となるので、ワイヤ１６がシート用パッド１０表面に完全に露出することがなくなり、成形後の取り扱い時におけるワイヤ１６の脱落などの不具合を回避することができる。また、このようにワイヤ１６をパッド本体１２と補強布１４との間に挟むものでありながら、補強布１４の発泡成形型４０への装着時には、係止具取り付け操作用穴２４から露出するワイヤ１６の被係止部２２を直接（即ち、補強布１４を介在させることなく）永久磁石５６に磁気吸着させることができるので、補強布１４の保持効果が高い。しかも、ワイヤ１６と永久磁石５６が直接密着していることから、両者の間に発泡原料が回り込むのを防止することができ、ワイヤ１６の被係止部２２をより確実に露出させることができる。
【００３１】
また、本実施形態であると、補強布１４の係止具取り付け操作用穴２４において露出したワイヤ１６の被係止部２２により、表皮９側の係止具８を係止することができる。そして、係止した後には、ワイヤ１６は被係止部２２の両側が補強布１４の上記操作用穴２４周りで覆われていることにより、被係止部２２でのワイヤ１６の浮き上がりが防止されて、高い係止効果を発揮することができる。
【００３２】
図６は、第２の実施形態に係るシート用パッド３０の底面図である。このシート用パッド３０は、自動車のリアシートのシートクッションに用いられるパッドであり、基本的には第１の実施形態と同様の構成を持つ。以下、第１の実施形態との相違点についてのみ説明する。
【００３３】
第２の実施形態では、シート用パッド３０の前縁部３０Ａだけでなく、側縁部３０Ｂ、及び後縁部３０Ｃにも、表皮係止用ワイヤ１６が設けられている。前縁部３０Ａ及び側縁部３０Ｂに設けられた表皮係止用ワイヤ１６は、一体に連なって全体として略Ｌ字状をなしており、第１の実施形態と同様に接着テープ２０を用いて補強布１４に取り付け固定されている。
【００３４】
後縁部３０Ｃに設けられた表皮係止用ワイヤ１６は、図７に拡大して示すように、接着テープ２０とともに、樹脂製タグピン３２を用いて補強布１４に取り付け固定されている。
【００３５】
詳細には、表皮係止用ワイヤ１６は、両端１６Ａが補強布１４の中央部側に向かって垂直に折曲されるとともに、その先端がそれぞれＵ字状に折り返されており、該折り返し部が接着テープ２０により固定されている。係止具取り付け操作用穴２４は、ワイヤ１６の長手方向における両端部の２箇所において円形状に設けられている。
【００３６】
ワイヤ１６の長手方向における中央部には、補強布１４に切込みを設けることで舌状部３４が設けられている。舌状部３４は、図８に示すように、ワイヤ１６の長手方向における中央部を包み込むように折り返されて、補強布本体１５上に重ねられており、この重ね合わせ部で、舌状部３４が補強布本体１５に樹脂製タグピン３２により固定されている。樹脂製タグピン３２は、一般に、商品に値札を取り付けるために用いられる係止片であり、タグガンと称されるタグ取付機により打ち付けられる。この例では、樹脂製タグピン３２は、図８に示すように、舌状部３４及び補強布本体１５を貫通する軸部３６と、該軸部３６の両端においてＴ字状になるように軸部３６と直交して延びる一対の係止頭部３８とからなるＨ字状をなしている。
【００３７】
このように補強布１６に舌状部３４を設けて樹脂製タグピン３２によりワイヤ１６を固定することで、ワイヤ１６を容易かつ確実に補強布１４に取り付けることができる。その他の構成及び製造方法については、第１の実施形態と同様であり、上記と同様の作用効果が奏される。
【図面の簡単な説明】
【００３８】
【図１】本発明の第１の実施形態に係るシート用パッドの斜視図。
【図２】図１のＩＩ−ＩＩ線断面図。
【図３】同シート用パッドに用いる補強布の要部拡大斜視図。
【図４】同実施形態における発泡成形型の型開き状態での断面図。
【図５】同実施形態における発泡成形時の断面図。
【図６】第２の実施形態のシート用パッドの底面図。
【図７】第２の実施形態で用いる補強布の要部拡大斜視図。
【図８】図７のVIII−VIII線断面図。
【符号の説明】
【００３９】
８…係止具
９…表皮
１０，３０…シート用パッド
１２…パッド本体
１４…補強布、１４Ｂ…ワイヤが固定された側の面
１５…補強布本体
１６…表皮係止用ワイヤ（ワイヤ）
２０…接着テープ
２２…被係止部
２４…係止具取り付け操作用穴
３２…樹脂製タグピン
３４…舌状部
４０…発泡成形型
５６…永久磁石
【図１】
2008194957.tif 000003
【図２】
2008194957.tif 000004
【図３】
2008194957.tif 000005
【図４】
2008194957.tif 000006
【図５】
2008194957.tif 000007
【図６】
2008194957.tif 000008
【図７】
2008194957.tif 000009
【図８】
2008194957.tif 000010